(57)【要約】【課題】ロータリーノブの回転操作によりプッシャを移動させてスイッチを押圧操作する構成のロータリースイッチ装置において、プッシャが押し込まれた状態で飲料の侵入等により摺動部に固着されても、スイッチを操作前の状態に自然に戻すことのできるものを提供する。【解決手段】プッシャ１４，１５が押し込まれた状態で飲料の侵入等により摺動部（プッシャガイド１１，１２の内面）に固着されても、押圧操作されたスイッチ８，９のその押圧操作を解除するときのロータリーノブ５の回転に応動する強制復帰手段の働き（第１のアーム１６，１７が第２のアーム２０，２１をすくい上げる）により、スイッチ８，９を操作前の状態に戻すことができる。【選択図】図１
2014103029.tif 000002
【特許請求の範囲】
【請求項１】
回転操作されるロータリーノブと、
このロータリーノブの回転に応じて押圧移動されるプッシャと、
このプッシャの移動に応じて押圧操作されるスイッチとを具備するロータリースイッチ装置において、
前記ロータリーノブと前記プッシャとの間に、前記押圧移動されたプッシャをロータリーノブの回転に応じて強制復帰させる強制復帰手段を設けたことを特徴とするロータリースイッチ装置。
【請求項２】
強制復帰手段が、押圧操作されたスイッチのその押圧操作を解除するときのロータリーノブの回転に応じてプッシャを強制復帰させるようになっていることを特徴とする請求項１記載のロータリースイッチ装置。
【請求項３】
強制復帰手段が、ロータリーノブに設けた第１のアームと、プッシャに設けた第２のアームとから成るものであって、第１のアームがロータリーノブの回転に応じて第２のアームをすくい上げることにより、プッシャを強制復帰させるようになっていることを特徴とする請求項１又は２記載のロータリースイッチ装置。
【発明の詳細な説明】
【技術分野】
【０００１】
本発明は、ロータリーノブの回転操作によりプッシャを移動させてスイッチを押圧操作する構成のロータリースイッチ装置に関する。
【背景技術】
【０００２】
従来より、回転操作されるロータリーノブを具え、このロータリーノブの回転により、プッシャを押圧移動させて、スイッチを押圧操作する構成のロータリースイッチ装置が供されている（例えば特許文献１参照）。
【先行技術文献】
【特許文献】
【０００３】
【特許文献１】特開２００３−３４６６０３号公報
【発明の概要】
【発明が解決しようとする課題】
【０００４】
上記構成のロータリースイッチ装置においては、ロータリーノブが回転によりプッシャの移動を解除する位置に至れば、スイッチの有する復帰力、又は別途設けたスプリング等の復帰手段の復帰力よりプッシャが戻され、スイッチが操作前の状態に戻されるようになっている。
【０００５】
しかしながら、それに対して、使用中、使用者が例えばジュース等の飲料を垂下させて、それがプッシャの摺動部に入り乾燥すると、プッシャが摺動部に固着されてしまい、その結果、プッシャが押し込まれた状態では、押し込まれたままとなって、スイッチを操作前の状態に戻すことができずに、スイッチが例えばオン状態のままになるという不具合を起こすおそれがあった。
【０００６】
本発明は上述の事情に鑑みてなされたものであり、従ってその目的は、プッシャが押し込まれた状態で飲料の侵入等により摺動部に固着されても、スイッチを操作前の状態に強制的に戻すことのできるロータリースイッチ装置を提供するにある。
【課題を解決するための手段】
【０００７】
上記目的を達成するために、本発明のロータリースイッチ装置は、回転操作されるロータリーノブと、このロータリーノブの回転に応じて押圧移動されるプッシャと、このプッシャの移動に応じて押圧操作されるスイッチとを具備するものにおいて、前記ロータリーノブと前記プッシャとの間に、前記押圧移動されたプッシャをロータリーノブの回転に応じて強制復帰させる強制復帰手段を設けたことを特徴とする（請求項１の発明）。
【発明の効果】
【０００８】
上記手段によれば、プッシャが押し込まれた状態で飲料の侵入等により摺動部に固着されても、ロータリーノブを回転操作すれば、その回転に応動する強制復帰手段の働きにより、スイッチを操作前の状態に強制的に戻すことができる。
【図面の簡単な説明】
【０００９】
【図１】本発明の一実施例を示す装置全体の縦断面図
【図２】装置全体の外観斜視図
【図３】主要部分の相対する関係を示す拡大縦断面図
【図４】異なる主要部分の相対する関係を示す拡大縦断面図
【図５】状態の異なる図１相当図
【図６】主要部分の斜視図
【図７】図３に示した部分の働きを示す拡大縦断面図
【図８】図４に示した部分の働きを示す拡大縦断面図
【発明を実施するための形態】
【００１０】
以下、本発明の一実施例（一実施形態）につき、図面を参照して説明する。
まず、図２には、ロータリースイッチ装置、中でも自動車の駆動モード切換スイッチ装置の外観を示しており、ケース１の蓋板１ａの中央部に円形の孔２を有し、この孔２の左右両側の部分に、自動車の駆動モード切換位置を示す標示３，４を有している。この場合、標示３の「２駆」は２輪駆動を表し、標示４の「４駆」は４輪駆動を表している。
【００１１】
孔２には、その内部に、ロータリーノブ５を回転可能に位置させている。このロータリーノブ５は、段付きのほゞ円盤形で、上面の周囲部の一箇所に、上記標示３，４と対応する指針表示６を有しており、孔２の周縁部との間に、回転のための微小な間隙Ｇを有している。
【００１２】
この場合、ロータリーノブ５の回転は、上記指針表示６が前記標示３を指す位置から前記標示４を指す位置へ（図にＲ１で示す時計回りの方向に）可能で、反対に標示４を指す位置から標示３を指す位置へ（図にＲ２で示す反時計回りの方向に）可能としている。すなわち、この場合のロータリーノブ５の回転は、Ｒ１方向とＲ２方向とに切換えられて行われるものとしている。
【００１３】
ケース１は、前記蓋板１ａのほかに、本体１ｂを有し、更に図１に示す台板１ｃを有するもので、台板１ｃ上に回路基板７を載置して結合している。回路基板７上には、スイッチ８，９を設けている。そのうち、スイッチ８は前記標示３と対応するものであり、スイッチ９は標示４と対応するものである。これらのスイッチは、回路基板７にその上面と面一に埋設した各二つの固定接点８ａ，９ａと、この各二つの固定接点８ａ，９ａとそれぞれに対向する各一つの可動接点８ｂ，９ｂとから成っており、その可動接点８ｂ，９ｂを絶縁シート１０の可撓性を有する隆起部１０ａ，１０ｂの各内上面に固着している。
【００１４】
絶縁シート１０は例えばゴムから成るものであり、この絶縁シート１０を回路基板７上に敷設して固着することにより、可動接点８ｂ，９ｂを各固定接点８ａ，９ａに臨ませている（図１はスイッチ８の可動接点８ｂが固定接点８ａに接触し、スイッチ９の可動接点９ｂが固定接点９ａから離間した状態を表している。）。
【００１５】
前記ケース１の本体１ｂは、上記回路基板７からスイッチ８，９及び絶縁シート１０を囲って台板１ｃに固着したものであり、その内部にはプッシャガイド１１，１２を支持壁部１３で支持するようにして一体に設けている。これらのプッシャガイド１１，１２は、上下に延びる筒状のものであり、その内部に、上下に延びる棒状のプッシャ１４，１５をそれぞれ上下移動可能に収納している。プッシャ１４，１５の各下端は前記絶縁シート１０の隆起部１０ａ，１０ｂの各頂部にそれぞれ当接している。前記ケース１の本体１ｂは、プッシャガイド１１，１２及びプッシャ１４，１５をも囲っており、前記蓋板１ａは本体１ｂ上に被着している。
【００１６】
前記ロータリーノブ５は、裏面の周縁部近くにプッシャ授動部５ａを有しており、中央部に軸部５ｂを有している。このうち、プッシャ授動部５ａは、詳しくは図示しないが、ロータリーノブ５と同心の環状のもので、下縁部が前記プッシャ１４，１５の各上端に当接しており、且つその下縁部に山形の凸部５ａ１を有していて、ロータリーノブ５の回転により、その凸部５ａ１でプッシャ１４，１５を押圧し、凸部以外の部分５ａ２でプッシャ１４，１５の押圧を解除するようになっている（図１はプッシャ１４を押圧し、プッシャ１５の押圧を解除した状態を表している）。又、その押圧は、前記示指針表示６が前記蓋板１ａ上の標示３，４をそれぞれに指す位置で行うようになっている。
【００１７】
それに対して、軸部５ｂは、下端がプッシャガイド１１，１２の下端よりも下方に位置する円筒状のものもので、その下部には外方へ突出する第１のアーム１６，１７を設けている。
これに対して、前記プッシャガイド１１，１２には、プッシャガイド１１，１２の軸方向（図で上下方向）に延びる孔１８，１９を形成しており、プッシャ１４，１５には、第２のアーム２０，２１を設けて、この第２のアーム２０，２１を、孔１８，１９をそれぞれに貫通させて軸部５ｂ方向に突出させている。
【００１８】
そして、この場合、第１のアーム１６，１７の各先端部と第２のアーム２０，２１の各先端部とは、基本的には図３及び図４に示す関係にあり、すなわち、前記ロータリーノブ５のＲ１で示した回転方向と、Ｒ２で示した回転方向とに、それぞれ離間しながら、上下に相対する関係にあって、この相対する第１のアーム１６，１７の各先端部の各上面と、第２のアーム２０，２１の先端部の各下面には、ロータリーノブ５の上記Ｒ１及びＲ２の各回転方向にそれぞれ漸次下降する斜面（１６ａ，１７ａ、２０ａ，２１ａ）をあらかじめ形成している。
【００１９】
次に、上記構成のものの作用を述べる。
ロータリーノブ５を回転操作すると、指針表示６が標示３を指す位置では、図１に示したように、プッシャ授動部５ａの凸部５ａ１がプッシャ１４を押圧し、指針表示６が標示４を指す位置では、図５に示すように、プッシャ授動部５ａの凸５ａ１部がプッシャ１５を押圧する。
そのうち、プッシャ１４は、押圧により、プッシャガイド１１に沿い降下移動して絶縁シート１０の隆起部１０ａを押し、それによってスイッチ８を押圧操作し、該スイッチ８の可動接点８ｂを固定接点８ａに接触させ、導通状態となる。
【００２０】
一方、プッシャ１６は、押圧により、プッシャガイド１２に沿い降下移動して絶縁シート１０の隆起部１０ｂを押し、それによってスイッチ９を押圧操作し、該スイッチ９の可動接点９ｂを固定接点９ａに接触させ、導通状態となる。
なお、図示しないが、ケース１内には、ロータリーノブ５をそれらの回転位置に係合させて保持する節度機構を有している。
【００２１】
又、スイッチ８が押圧操作された位置（指針表示６が標示３を指した位置）では、第２のアーム２０が第１のアーム１６側に降下し、スイッチ９が押圧操作された位置（指針表示６が標示４を指した位置）では、第２のアーム２１が第１のアーム１７側に降下する。
更に、ロータリーノブ５の指針表示６が標示３を指した位置では、プッシャ授動部５ａの凸部以外の部分５ａ２がプッシャ１５に対応することで、プッシャ１５の押圧を解除し、指針表示６が標示４を指した位置では、プッシャ授動部５ａの凸部以外の部分５ａ２がプッシャ１４に対応することで、プッシャ１４の押圧を解除する。
【００２２】
そして、それらの押圧の解除により、プッシャ１５は、絶縁シート１０の隆起部１０ｂの復元力により戻され、プッシャ１４は、絶縁シート１０の隆起部１０ａの復元力により戻される。それと共に、スイッチ８，９もそれぞれ上述の押圧操作が解除されて、可動接点８ｂ，９ｂを固定接点８ａ，９ａから離間させ、遮断状態となる。
【００２３】
更に、ロータリーノブ５の指針表示６が標示３を指した位置では、図３に示したように、第１のアーム１６が、ロータリーノブ５のＲ１で示した回転方向で、第２のアーム２０に臨む位置（例えば図２に仮想ポイントＰ１で示す位置）にある。この状態から、上述のように押圧操作をしたスイッチ８の押圧操作を解除するときのロータリーノブ５の回転（Ｒ１方向）によって、それに伴う軸部５ｂの回転により、図６及び図７に示すように、第１のアーム１６が第２のアーム２０に近接し、そして、上面の斜面１６ａを第２のアーム２０の下面の斜面２０ａに摺接させて、該第２のアーム２０を矢印Ｕ１で示すようにすくい上げることにより、プッシャ１４を強制的に上昇復帰させることを行う。
【００２４】
一方、ロータリーノブ５の指針表示６が標示４を指した位置では、図４に示したように、第１のアーム１７が、ロータリーノブ５のＲ２で示した回転方向で、第２のアーム２０に臨む位置（上述と同じ、例えば図２に仮想ポイントＰ１で示す位置）にある。この状態から、上述のように押圧操作をしたスイッチ９の押圧操作を解除するときのロータリーノブ５の回転（Ｒ２方向）によって、それに伴う軸部５ｂの回転により、図８に示すように、第１のアーム１７が第２のアーム２１に近接し、上面の斜面１７ａを第２のアーム２１の下面の斜面２１ａに摺接させて、該第２のアーム２１を矢印Ｕ２で示すようにすくい上げることにより、プッシャ１５を強制的に上昇復帰させることを行う。
【００２５】
なお、ロータリーノブ５の指針表示６が標示３を指した位置では、第１のアーム１７は例えば図２に仮想ポイントＰ２で示す位置にあり、ロータリーノブ５の指針表示６が標示４を指した位置では、第１のアーム１６が同ポイントＰ２で示す位置にある。すなわち、それら第１のアーム１６，１７は、例えば標示３，４の配置、ひいてはスイッチ８，９の配置と直交する関係の配置で設けている（図１及び図５はスイッチ８，９やプッシャ１４，１５及び第１のアーム１６，１７を便宜的にまとめた配置で表している）。
【００２６】
以上により、第１のアーム１６，１７と第２のアーム２０，２１は、押圧操作をしたスイッチ８，９のその押圧操作を解除するときのロータリーノブ５の回転に応じてプッシャ１４，１５を強制復帰させる強制復帰手段として機能するものである。
【００２７】
これにより、プッシャ１４，１５が押し込まれた状態で、ケース１（蓋板１ａ）の孔２の周縁部とロータリーノブ５との間隙Ｇからの飲料の侵入、そしてそれの乾燥等で、摺動部であるプッシャガイド１１，１２の内面に固着されても、上記強制復帰手段の働きにより、スイッチ８，９を操作前の状態に戻すことができるものであり、スイッチ８，９が例えばオン状態である導通状態のままになるという不具合を起こすおそれをなくすことができる。
【００２８】
又、その場合、特殊な操作は必要なく、押圧操作されたスイッチ８，９のその押圧操作を解除するときのロータリーノブ５の回転により、上記強制復帰手段を働かせて、スイッチ８，９をそれぞれ操作前の状態に自然に戻すことができるものであり、自然に操作できる。
【００２９】
なお、スイッチ８，９は押圧操作されたときに遮断状態となるものであっても良く。この場合には、上記構成のものは、スイッチ８，９がオフ状態である遮断状態のままになるという不具合を起こすおそれをなくすべく機能する。
又、スイッチ装置全体としても、自動車の駆動モード切換スイッチ装置には限られず、その他のスイッチ装置全般として広く適用できる。
そのほか、本発明は上記し且つ図面に示した実施例にのみ限定されるものではなく、要旨を逸脱しない範囲内で適宜変更して実施し得る。
【符号の説明】
【００３０】
図面中、５はロータリーノブ、８，９はスイッチ、１４，１５はプッシャ、１６，１７は第１のアーム（強制復帰手段）、２０，２１は第２のアーム（強制復帰手段）を示す。
【図１】
2014103029.tif 000003
【図２】
2014103029.tif 000004
【図３】
2014103029.tif 000005
【図４】
2014103029.tif 000006
【図５】
2014103029.tif 000007
【図６】
2014103029.tif 000008
【図７】
2014103029.tif 000009
【図８】
2014103029.tif 000010